(57)【要約】【課題】減速機ケースによって変速機ケースに連結されるモータを有するハイブリッド車両用駆動装置の小型化を図ること。【解決手段】駆動装置４は、変速機ケース５は、減速機構３３を収容する減速機ケース２５を有し、減速機ケース２５は、前進用出力軸１２の軸方向においてモータ３２と減速機構３３との間に位置する側壁部２９を有する。減速機構３３の第３の減速ギヤ組３９は、第２の中間軸３６に設置される第３のドライブギヤ３６Ｂと、前進用出力軸１２に設置され、第３のドライブギヤ３６Ｂに噛み合う出力ギヤ１７Ｄとから構成されており、第３のドライブギヤ３６Ｂは、モータ軸３２Ｂを側壁部２９に支持する軸受５１Ａに対して半径方向の外側に設置されている。【選択図】図８
2020100270.tif 000002
【特許請求の範囲】
【請求項１】
動力源から動力が伝達される入力軸および前記入力軸から動力が伝達される出力軸とを有する変速機構と、
前記変速機構が収容される変速機ケースと、
モータ軸を有し、前記変速機ケースの上部に設けられたモータと、
複数段の減速ギヤ組を有し、前記モータ軸から前記出力軸に動力を伝達する減速機構と、
前記変速機ケースに設けられ、前記減速機構を収容する減速機ケースとを有するハイブリッド車両用駆動装置であって、
前記減速機ケースは、前記出力軸の軸方向において前記モータと前記減速機構との間に位置する側壁部を有し、
前記減速機構は、第１の減速ギヤ組を介して前記モータ軸に連絡される第１の中間軸と、第２の減速ギヤ組を介して前記第１の中間軸に連絡される第２の中間軸と、前記第２の中間軸と前記出力軸とを連絡する第３の減速ギヤ組とを有し、
前記モータ軸、前記第１の中間軸および前記第２の中間軸は、軸受を介して前記側壁部に回転自在に支持されており、
前記第３の減速ギヤ組は、前記第２の中間軸に設置されるドライブギヤと、前記出力軸に設置され、前記ドライブギヤに噛み合うドリブンギヤとから構成されており、
前記ドライブギヤは、前記モータ軸を前記側壁部に支持する軸受に対して半径方向の外側に設置されていることを特徴とするハイブリッド車両用駆動装置。
【請求項２】
前記変速機構は、前記入力軸から前記出力軸に選択的に動力を伝達する複数の変速ギヤ組を有し、
前記第３の減速ギヤ組の前記ドリブンギヤは、前記複数の変速ギヤ組の１つから構成されていることを特徴とする請求項１に記載のハイブリッド車両用駆動装置。
【請求項３】
前記変速機構は、前記入力軸上に設けられ、前記複数の変速ギヤ組の中から１つの変速ギヤ組を選択し、前記入力軸から選択された前記変速ギヤ組を介して前記出力軸に動力を伝達させる少なくとも２つ以上の同期装置を有し、
前記入力軸の軸方向において前記複数の同期装置のうちの２つの同期装置の間に前記複数の変速ギヤ組のうちの２つの変速ギヤ組が隣接して設置されており、
前記第３の減速ギヤ組の前記ドライブギヤは、前記２つの変速ギヤ組のうちの一方の半径方向の外側に設置されており、
前記第１の減速ギヤ組は、前記２つの変速ギヤ組のうちの他方の半径方向の外側に設置されており、
前記第２の減速ギヤ組は、前記２つの同期装置のうちの一方の半径方向の外側に設置されていることを特徴とする請求項２に記載のハイブリッド車両用駆動装置。
【発明の詳細な説明】
【技術分野】
【０００１】
本発明は、ハイブリッド車両用駆動装置に関する。
【背景技術】
【０００２】
従来のハイブリッド車両用動力伝達装置として、特許文献１に記載のものが知られている。このハイブリッド車両用動力伝達装置は、電動モータの駆動力を減速する減速機構と、減速機構で減速された駆動力を左右の駆動輪に配分するディファレンシャル装置と、ディファレンシャル装置を収容する変速機ケースとを備えている。
【０００３】
電動モータは、複数のボルトによって変速機ケースの上部に取付けられている。減速機構を収容する減速機ケースは、複数のボルトによって変速機ケースに取付けられている。
【０００４】
電動モータのモータハウジングには円筒部が形成されている。減速機ケースには円筒部に差し込まれる円筒部が形成されており、それぞれの円筒部が相互に差し込まれることにより、モータハウジングと減速機ケースが連結されている（特許文献１の図３参照）。
【先行技術文献】
【特許文献】
【０００５】
【特許文献１】特開２００７−２０３９９９号公報
【発明の概要】
【発明が解決しようとする課題】
【０００６】
このような従来のハイブリッド車両用動力伝達装置にあっては、電動モータと減速機構との間に変速機ケースの壁と減速機ケースの壁が設置されるので、両壁の分だけ減速機構の軸が長くなる。このため、減速機構の軸が長くなる分だけ、動力伝達装置が大型化するおそれがある。
【０００７】
本発明は、上記のような事情に着目してなされたものであり、減速機ケースによって変速機ケースに連結されるモータを有するハイブリッド車両用駆動装置の小型化を図ることを目的とするものである。
【課題を解決するための手段】
【０００８】
本発明は、動力源から動力が伝達される入力軸および前記入力軸から動力が伝達される出力軸とを有する変速機構と、前記変速機構が収容される変速機ケースと、モータ軸を有し、前記変速機ケースの上部に設けられたモータと、複数段の減速ギヤ組を有し、前記モータ軸から前記出力軸に動力を伝達する減速機構と、前記変速機ケースに設けられ、前記減速機構を収容する減速機ケースとを有するハイブリッド車両用駆動装置であって、前記減速機ケースは、前記出力軸の軸方向において前記モータと前記減速機構との間に位置する側壁部を有し、前記減速機構は、第１の減速ギヤ組を介して前記モータ軸に連絡される第１の中間軸と、第２の減速ギヤ組を介して前記第１の中間軸に連絡される第２の中間軸と、前記第２の中間軸と前記出力軸とを連絡する第３の減速ギヤ組とを有し、前記モータ軸、前記第１の中間軸および前記第２の中間軸は、軸受を介して前記側壁部に回転自在に支持されており、前記第３の減速ギヤ組は、前記第２の中間軸に設置されるドライブギヤと、前記出力軸に設置され、前記ドライブギヤに噛み合うドリブンギヤとから構成されており、前記ドライブギヤは、前記モータ軸を前記側壁部に支持する軸受に対して半径方向の外側に設置されていることを特徴とする。
【発明の効果】
【０００９】
このように上記の本発明によれば、減速機ケースによって変速機ケースに連結されるモータを有するハイブリッド車両用駆動装置の小型化を図ることができる。
【図面の簡単な説明】
【００１０】
【図１】図１は、本発明の一実施例に係るハイブリッド車両用駆動装置の左側面図である。
【図２】図２は、本発明の一実施例に係るハイブリッド車両用駆動装置の平面図である。
【図３】図３は、本発明の一実施例に係るハイブリッド車両用駆動装置のスケルトン図である。
【図４】図４は、図１のIＶ−IＶ方向矢視断面図である。
【図５】図５は、図２のＶ−Ｖ方向矢視断面図である。
【図６】図６は、本発明の一実施例に係るハイブリッド車両用駆動装置のレフトケースの外側面図である。
【図７】図７は、本発明の一実施例に係るハイブリッド車両用駆動装置のレフトケースの斜視図である。
【図８】図８は、図５のＶIII−ＶIII方向矢視断面図である。
【図９】図９は、図６のIＸ−IＸ方向矢視断面図である。
【発明を実施するための形態】
【００１１】
本発明の一実施の形態に係るハイブリッド車両用駆動装置は、動力源から動力が伝達される入力軸および入力軸から動力が伝達される出力軸とを有する変速機構と、変速機構が収容される変速機ケースと、モータ軸を有し、変速機ケースの上部に設けられたモータと、複数段の減速ギヤ組を有し、モータ軸から出力軸に動力を伝達する減速機構と、変速機ケースに設けられ、減速機構を収容する減速機ケースとを有するハイブリッド車両用駆動装置であって、減速機ケースは、出力軸の軸方向においてモータと減速機構との間に位置する側壁部を有し、減速機構は、第１の減速ギヤ組を介してモータ軸に連絡される第１の中間軸と、第２の減速ギヤ組を介して第１の中間軸に連絡される第２の中間軸と、第２の中間軸と出力軸とを連絡する第３の減速ギヤ組とを有し、モータ軸、第１の中間軸および第２の中間軸は、軸受を介して側壁部に回転自在に支持されており、第３の減速ギヤ組は、第２の中間軸に設置されるドライブギヤと、出力軸に設置され、ドライブギヤに噛み合うドリブンギヤとから構成されており、ドライブギヤは、モータ軸を側壁部に支持する軸受に対して半径方向の外側に設置されている。
【００１２】
これにより、本発明の一実施の形態に係るハイブリッド車両用駆動装置は、減速機ケースによって変速機ケースに連結されるモータを有するハイブリッド車両用駆動装置の小型化を図ることができる。
【実施例】
【００１３】
以下、本発明の一実施例に係るハイブリッド車両用駆動装置について、図面を用いて説明する。
図１から図９は、本発明の一実施例に係るハイブリッド車両用駆動装置を示す図である。
【００１４】
図１から図９において、上下前後左右方向は、車両に設置された状態のハイブリッド車両用駆動装置の上下前後左右方向とし、前後方向に対して直交する方向が左右方向、ハイブリッド車両用駆動装置の高さ方向が上下方向である。
【００１５】
まず、構成を説明する。
図１において、ハイブリッド車両（以下、単に車両という）１は、車体２を備えており、車体２は、ダッシュパネル３によって前側のエンジンルーム２Ａと後側の車室２Ｂとに仕切られている。エンジンルーム２Ａにはハイブリッド車両用駆動装置（以下、単に駆動装置という）４が設置されており、駆動装置４は、前進６速、後進１速の変速段を有する。
【００１６】
図２において、駆動装置４は、変速機ケース５を備えており、変速機ケース５は、ライトケース６およびレフトケース７を有する。
【００１７】
ライトケース６にはエンジン８が連結されている。エンジン８は、クランク軸９を有し（図３参照）、クランク軸９は、車両１の幅方向に延びるように設置されている。すなわち、本実施例のエンジン８は、横置きエンジンから構成されており、本実施例の車両１は、フロントエンジン・フロントドライブ（ＦＦ）車両である。本実施例のエンジン８は、内燃機関から構成されており、本発明の動力源を構成する。
【００１８】
レフトケース７は、エンジン８と反対側、すなわち、左側からライトケース６に連結されている。ライトケース６の外周縁にはフランジ部６Ｆ（図８参照）が形成されている。図７、図８において、レフトケース７の外周縁にはフランジ部７Ｆが形成されている。
【００１９】
図６、図７に示すように、フランジ部７Ｆにはボルト２３Ａ（図１参照）が挿入される複数のボス部７ｆが設けられており、ボス部７ｆは、フランジ部７Ｆに沿って設けられている。
【００２０】
フランジ部６Ｆにはボス部７ｆに合致する複数の図示しないボス部が形成されており、ボルト２３Ａをフランジ部６Ｆのボス部とフランジ部７Ｆのボス部７ｆに締結することにより、ライトケース６とレフトケース７が締結されて一体化される。
【００２１】
ライトケース６にはクラッチ１０（図３参照）が収容されている。レフトケース７には、図３に示す入力軸１１、前進用出力軸１２、後進用出力軸１３、終減速機構１４およびディファレンシャル装置１５が収容されている。
【００２２】
入力軸１１、前進用出力軸１２および後進用出力軸１３は、平行に設置されている。本実施例の前進用出力軸１２は、本発明の出力軸を構成する。
【００２３】
図３において、入力軸１１は、クラッチ１０を介してエンジン８に連結されており、クラッチ１０を介してエンジン８の動力が伝達される。図３、図４において、入力軸１１は、１速段用の入力ギヤ１６Ａ、２速段用の入力ギヤ１６Ｂ、３速段用の入力ギヤ１６Ｃ、４速段用の入力ギヤ１６Ｄ、５速段用の入力ギヤ１６Ｅおよび６速段用の入力ギヤ１６Ｆを有する。
【００２４】
入力ギヤ１６Ａ、１６Ｂは、入力軸１１に固定されており、入力軸１１と一体で回転する。入力ギヤ１６Ｃから入力ギヤ１６Ｆは、入力軸１１に相対回転自在に設けられている。
【００２５】
前進用出力軸１２は、１速段用の出力ギヤ１７Ａ、２速段用の出力ギヤ１７Ｂ、３速段用の出力ギヤ１７Ｃ、４速段用の出力ギヤ１７Ｄ、５速段用の出力ギヤ１７Ｅ、６速段用の出力ギヤ１７Ｆおよび前進用のファイナルドライブギヤ１７Ｇを有し、出力ギヤ１７Ａから出力ギヤ１７Ｆは、同一の変速段を構成する入力ギヤ１６Ａから入力ギヤ１６Ｆに噛み合っている。
【００２６】
出力ギヤ１７Ａ、１７Ｂは、前進用出力軸１２に相対回転自在に設けられている。出力ギヤ１７Ｃから出力ギヤ１７Ｆおよびファイナルドライブギヤ１７Ｇは、前進用出力軸１２に固定されており、前進用出力軸１２と一体で回転する。
【００２７】
１速段においては、エンジン８の動力が入力軸１１から入力ギヤ１６Ａおよび出力ギヤ１７Ａを介して前進用出力軸１２に伝達される。２速段においては、エンジン８の動力が入力軸１１から入力ギヤ１６Ｂおよび出力ギヤ１７Ｂを介して前進用出力軸１２に伝達される。
【００２８】
出力ギヤ１７Ａと出力ギヤ１７Ｂの間において前進用出力軸１２上には第１の同期装置１８が設けられている。
【００２９】
第１の同期装置１８は、シフト操作によって１速段にシフトされると、１速段の出力ギヤ１７Ａを前進用出力軸１２に連結し、シフト操作によって２速段にシフトされると、２速段用の出力ギヤ１７Ｂを前進用出力軸１２に連結する。これにより、出力ギヤ１７Ａまたは出力ギヤ１７Ｂは、前進用出力軸１２と一体で回転する。
【００３０】
入力ギヤ１６Ｃと入力ギヤ１６Ｄの間において入力軸１１上には第２の同期装置１９が設けられている。
【００３１】
第２の同期装置１９は、シフト操作によって３速段にシフトされると、入力ギヤ１６Ｃを入力軸１１に連結し、シフト操作によって４速段にシフトされると、入力ギヤ１６Ｄを入力軸１１に連結する。これにより、入力ギヤ１６Ｃまたは入力ギヤ１６Ｄが入力軸１１と一体で回転する。
【００３２】
３速段においては、エンジン８の動力が入力軸１１から入力ギヤ１６Ｃおよび出力ギヤ１７Ｃを介して前進用出力軸１２に伝達される。４速段においては、エンジン８の動力が入力軸１１から入力ギヤ１６Ｄおよび出力ギヤ１７Ｄを介して前進用出力軸１２に伝達される。
【００３３】
このように入力軸１１上に設けられた第２の同期装置１９は、入力ギヤ１６Ｃと出力ギヤ１７Ｃからなる１つの変速ギヤ組と、入力ギヤ１６Ｄと出力ギヤ１７Ｄからなる１つの変速ギヤ組との中から１つの変速ギヤ組を選択し、入力軸１１から選択された変速ギヤ組を介して前進用出力軸１２に動力を伝達させる。
【００３４】
入力ギヤ１６Ｅと入力ギヤ１６Ｆの間において入力軸１１上には第３の同期装置２０が設けられている。
【００３５】
第３の同期装置２０は、シフト操作によって５速段にシフトされると、入力ギヤ１６Ｅを入力軸１１に連結し、シフト操作によって６速段にシフトされると、入力ギヤ１６Ｆを入力軸１１に連結する。これにより、入力ギヤ１６Ｅまたは入力ギヤ１６Ｆが入力軸１１と一体で回転する。
【００３６】
５速段においては、エンジン８の動力が入力軸１１から入力ギヤ１６Ｅおよび出力ギヤ１７Ｅを介して前進用出力軸１２に伝達される。６速段においては、エンジン８の動力が入力軸１１から入力ギヤ１６Ｆおよび出力ギヤ１７Ｆを介して前進用出力軸１２に伝達される。
【００３７】
このように入力軸１１上に設けられた第３の同期装置２０は、入力ギヤ１６Ｅと出力ギヤ１７Ｅからなる１つの変速ギヤ組と、入力ギヤ１６Ｆと出力ギヤ１７Ｆからなる１つの変速ギヤ組との中から１つの変速ギヤ組を選択し、入力軸１１から選択された変速ギヤ組を介して前進用出力軸１２に動力を伝達させる。
【００３８】
入力ギヤ１６Ｄと出力ギヤ１７Ｄからなる変速ギヤ組と、入力ギヤ１６Ｅおよび出力ギヤ１７Ｅからなる変速ギヤ組とは、入力軸１１の軸方向において第２の同期装置１９と第３の同期装置２０との間に隣接して設置されている。本実施例の第２の同期装置１９および第３の同期装置２０は、本発明の同期装置を構成する。
【００３９】
後進用出力軸１３にはリバースギヤ２２Ａおよび後進用のファイナルドライブギヤ２２Ｂが設けられている。リバースギヤ２２Ａは、後進用出力軸１３に相対回転自在に設けられており、出力ギヤ１７Ａに噛み合っている。ファイナルドライブギヤ２２Ｂは、後進用出力軸１３に固定されており、後進用出力軸１３と一体で回転する。
【００４０】
後進用出力軸１３には第４の同期装置２１が設けられている。第４の同期装置２１は、シフト操作によって後進段にシフトされると、リバースギヤ２２Ａを後進用出力軸１３に連結する。これにより、リバースギヤ２２Ａは、後進用出力軸１３と一体で回転する。
【００４１】
後進段においては、エンジン８の動力が入力軸１１から入力ギヤ１６Ａ、前進用出力軸１２と相対回転する出力ギヤ１７Ａおよびリバースギヤ２２Ａを介して後進用出力軸１３に伝達される。
【００４２】
前進用のファイナルドライブギヤ１７Ｇおよび後進用のファイナルドライブギヤ２２Ｂは、ディファレンシャル装置１５のファイナルドリブンギヤ１５Ａに噛み合っている。これにより、前進用出力軸１２の動力および後進用出力軸１３の動力は、前進用のファイナルドライブギヤ１７Ｇまたは後進用のファイナルドライブギヤ２２Ｂを経てディファレンシャル装置１５に伝達される。
【００４３】
ディファレンシャル装置１５は、ファイナルドリブンギヤ１５Ａと、ファイナルドリブンギヤ１５Ａが外周部に取付けられたデフケース１５Ｂと、デフケース１５Ｂに内蔵された差動機構１５Ｃとを有する。
【００４４】
デフケース１５Ｂの右端部には筒状部１５ｂが設けられており（図４参照）、デフケース１５Ｂの左端部には筒状部１５ｃ（図５参照）が設けられている。筒状部１５ｂ、１５ｃにはそれぞれ左右のドライブシャフト２４Ｌ、２４Ｒ（図３参照）のそれぞれの一端部が挿通されている。
【００４５】
左右のドライブシャフト２４Ｌ、２４Ｒの一端部は、差動機構１５Ｃに連結されており、左右のドライブシャフト２４Ｌ、２４Ｒの他端部は、それぞれ図示しない左右の駆動輪に連結されている。ディファレンシャル装置１５は、エンジン８の動力を差動機構１５Ｃによって左右のドライブシャフト２４Ｌ、２４Ｒに分配して駆動輪に伝達する。
【００４６】
本実施例の入力軸１１、前進用出力軸１２、入力ギヤ１６Ａから入力ギヤ１６Ｆおよび出力ギヤ１７Ａから出力ギヤ１７Ｆは、本発明の変速機構を構成する。
【００４７】
入力ギヤ１６Ａと出力ギヤ１７Ａ、入力ギヤ１６Ｂと出力ギヤ１７Ｂ、入力ギヤ１６Ｃと出力ギヤ１７Ｃ、入力ギヤ１６Ｄと出力ギヤ１７Ｄ、入力ギヤ１６Ｅと出力ギヤ１７Ｅ、および入力ギヤ１６Ｆと出力ギヤ１７Ｆは、本発明の変速ギヤ組を構成し、変速ギヤ組は、入力軸１１から前進用出力軸１２に選択的に動力を伝達する。
【００４８】
終減速機構１４は、前進用のファイナルドライブギヤ１７Ｇおよびファイナルドリブンギヤ１５Ａから構成されている。前進用出力軸１２は、終減速機構１４を介してデフケース１５Ｂに連結されている。
【００４９】
図１、図２において、レフトケース７の上部にはマウント取付部３１が設けられている。マウント取付部３１は、複数のボス部３１Ａを有し、ボス部３１Ａには図示しないボルトによって図示しないマウントブラケットが締結されている。
【００５０】
マウントブラケットは、いずれも図示しない左側サイドフレームに設置された弾性体を有するマウント部材に連結されている。これにより、駆動装置４は、マウントブラケットおよびマウント部材を介して左側サイドフレームに弾性的に支持されている。
【００５１】
エンジン８は、いずれも図示しないマウントブラケットおよびマウント部材を介して右サイドフレームに弾性的に支持されている。
【００５２】
マウント取付部３１よりも後側においてレフトケース７の上部にはモータ３２が設置されている。
【００５３】
図８において、モータ３２は、モータケース３２Ａと、モータケース３２Ａに回転自在に支持されたモータ軸３２Ｂとを有する。モータケース３２Ａの内部にはいずれも図示しないロータと、コイルが巻き付けられたステータが収容されており、モータ軸３２Ｂは、ロータと一体に設けられている。
【００５４】
モータ３２において、コイルに三相交流が供給されることにより、周方向に回転する回転磁界を発生する。ステータは、発生した磁束をロータに鎖交させることにより、モータ軸３２Ｂと一体のロータを回転駆動させる。
【００５５】
図２において、レフトケース７には減速機ケース２５が設けられており、減速機ケース２５は、ケース部２６およびカバー部２７を有する。減速機ケース２５には減速機構３３（図６参照）が収容されている。
【００５６】
図３において、減速機構３３は、モータ３２のモータ軸３２Ｂに設けられた第１のドライブギヤ３４と、第１の中間軸３５と、第２の中間軸３６と、前進用出力軸１２に設けられた４速段用の出力ギヤ１７Ｄとを備えている。
【００５７】
第１の中間軸３５には第１のドリブンギヤ３５Ａおよび第２のドライブギヤ３５Ｂが設けられている。第２の中間軸３６には第２のドリブンギヤ３６Ａおよび第３のドライブギヤ３６Ｂが設けられている。
【００５８】
第１のドリブンギヤ３５Ａは、第１のドライブギヤ３４の直径よりも大径に形成されており、第１のドライブギヤ３４に噛み合っている。第１のドライブギヤ３４および第１のドリブンギヤ３５Ａは、モータ軸３２Ｂと第１の中間軸３５とを連結する第１の減速ギヤ組３７を構成する。
【００５９】
第２のドライブギヤ３５Ｂは、第１のドリブンギヤ３５Ａおよび第２のドリブンギヤ３６Ａの直径よりも小径に形成されており、第２のドリブンギヤ３６Ａに噛み合っている。第２のドライブギヤ３５Ｂおよび第２のドリブンギヤ３６Ａは、第１の中間軸３５と第２の中間軸３６とを連結しており、第２の減速ギヤ組３８を構成している。
【００６０】
第３のドライブギヤ３６Ｂは、第２のドリブンギヤ３６Ａの直径と同一径で、かつ、４速段用の出力ギヤ１７Ｄの直径よりも大径に形成されており、４速段用の出力ギヤ１７Ｄに噛み合っている。
【００６１】
第３のドライブギヤ３６Ｂおよび出力ギヤ１７Ｄは、第２の中間軸３６と前進用出力軸１２とを連結しており、第３の減速ギヤ組３９を構成している。
【００６２】
図５に示すように、第３のドライブギヤ３６Ｂは、その軸心Ｏ３が鉛直方向で前進用出力軸１２の軸心Ｏ４よりも上方で、かつ、レフトケース７の上壁７Ｂよりも下側に設置されている。
【００６３】
このように本実施例の減速機構３３において、第３の減速ギヤ組３９のドリブンギヤは、複数の変速ギヤ組のうちの４速段用の出力ギヤ１７Ｄから構成されている。
【００６４】
図３において、第３の減速ギヤ組３９の第３のドライブギヤ３６Ｂは、１組の入力ギヤ１６Ｄと出力ギヤ１７Ｄの半径方向の外側に設置されている。第１の減速ギヤ組３７は、１組の入力ギヤ１６Ｅと出力ギヤ１７Ｅの半径方向の外側に設置されている。第２の減速ギヤ組３８は、第３の同期装置２０の半径方向の外側に設置されている。
【００６５】
このように減速機構３３は、モータ３２から前進用出力軸１２に動力を伝達する動力伝達経路上に第１の中間軸３５と第２の中間軸３６とを有する。そして、減速機構３３は、ドライブギヤ３４、３５Ｂ、３６Ｂおよびドリブンギヤ３５Ａ、３６Ａの直径が任意の減速比となるように設定されることにより、モータ３２の動力を減速して前進用出力軸１２に伝達する。
【００６６】
本実施例の第３のドライブギヤ３６Ｂは、本発明のドライブギヤを構成し、４速段用の出力ギヤ１７Ｄは、本発明のドリブンギヤを構成する。
【００６７】
図３において、第１のドリブンギヤ３５Ａは、第２のドリブンギヤ３６Ａと第３のドライブギヤ３６Ｂと半径方向に重なり、かつ、第２のドリブンギヤ３６Ａと第３のドライブギヤ３６Ｂとの間に設置されている。
【００６８】
図５において、減速機構３３は、モータ軸３２Ｂの軸心Ｏ１と第１の中間軸３５の軸心Ｏ２と第２の中間軸３６の軸心Ｏ３と前進用出力軸１２の軸心Ｏ４とを結ぶ第１の仮想線Ｌ１がジグザグ形状になるように、モータ軸３２Ｂ、第１の中間軸３５、第２の中間軸３６および前進用出力軸１２が設置されている。
【００６９】
ここで、ジグザグ形状とは、Ｚ字状に直線が何度も折れ曲がっている形態や、直線が前後に何度も折れ曲がっている形態をいう。
【００７０】
図５において、ファイナルドリブンギヤ１５Ａの回転軸１５ａを通り鉛直方向に延びる第２の仮想線Ｌ２を設定した場合に、モータ軸３２Ｂの軸心Ｏ１、第１の中間軸３５の軸心Ｏ２および第２の中間軸３６の軸心Ｏ３が第２の仮想線Ｌ２よりもマウント取付部３１側、すなわち、前側に位置するように、モータ３２、第１の中間軸３５および第２の中間軸３６が設置されている。
【００７１】
第１の中間軸３５は、その軸心Ｏ２が前後方向でモータ軸３２Ｂの軸心Ｏ１よりもマウント取付部３１側、すなわち、モータ軸３２Ｂの軸心Ｏ１よりも前側に位置するように設置されている。
【００７２】
第２の中間軸３６は、その軸心Ｏ３が前後方向で第１の中間軸３５の軸心Ｏ２に対してマウント取付部３１から離れる位置、すなわち、第１の中間軸３５の軸心Ｏ２よりも後側に設置されている。
【００７３】
図８において、ケース部２６は、周壁部２８を有する。周壁部２８は、レフトケース７の左側壁７Ａに対してライトケース６から離れる方向（左方）に突出しており、上端２８ｕがレフトケース７の上壁７Ｂよりも上方に延びている。図６に示すように、入力軸１１の軸方向から見て周壁部２８は、Ｌ字形状に形成されており、減速機構３３の周囲を取り囲んでいる。
【００７４】
図９において、カバー部２７は、ボルト２３Ｂ（図１参照）によって周壁部２８の突出方向の先端部２８ａに接合（締結）されており、周壁部２８の開口端を閉塞している。
【００７５】
図６、図７に示すように、ケース部２６は、側壁部２９を有する。側壁部２９は、カバー部２７と反対側、すなわち、ライトケース６側の周壁部２８の突出方向の基端部２８ｂ（図８、図９参照）に設けられている。
【００７６】
図６、図８において、側壁部２９は、レフトケース７の上壁７Ｂから上方に延びる縦壁部２９Ａと、周壁部２８の突出方向の基端部２８ｂ側において縦壁部２９Ａの下部からレフトケース７の上壁７Ｂよりも下方に延び、上壁７Ｂと周壁部２８の下部２８ｃとを連結する隔壁部２９Ｂ（図６参照）とを有する。
【００７７】
図８に示すように、入力軸１１の軸方向において縦壁部２９Ａおよび隔壁部２９Ｂからなる側壁部２９は、モータ３２と減速機構３３との間に位置している。
【００７８】
本実施例の側壁部２９は、縦壁部２９Ａおよび隔壁部２９Ｂが一体に形成されており、レフトケース７の上壁７Ｂを境にして上壁７Ｂよりも上方に位置する部位が縦壁部２９Ａを構成し、上壁７Ｂよりも下方に位置する部位が隔壁部２９Ｂを構成する。
【００７９】
図８に示すように、減速機構３３は、カバー部２７と、周壁部２８と、側壁部２９によって囲まれる減速機構収容室４５に収容されている。
【００８０】
図６、図７において、縦壁部２９Ａの上部にはモータ取付部２９Ｃが設けられている。モータ取付部２９Ｃは、モータ３２の外径、すなわち、モータケース３２Ａの外径と同等の外径を有する円盤状に形成されている。
【００８１】
モータ取付部２９Ｃの外周部には複数のボス部２９ｍが設けられており、ボス部２９ｍは、モータ取付部２９Ｃの外周部に沿って設けられている。モータ取付部２９Ｃにはボルト２３Ｃ（図５参照）が挿通され、ボルト２３Ｃがモータケース３２Ａに形成された図示しないねじ溝に締結されることにより、モータ３２がモータ取付部２９Ｃに締結される。  
【００８２】
図７において、レフトケース７のフランジ部７Ｆに設けられた複数のボス部７ｆのうち、モータ取付部２９Ｃの下方に位置する３つのボス部（図７においてモータ取付部２９Ｃと隔壁部２９Ｂの間において符号７ｆを付している３つのボス部）は、側壁部２９のうちの縦壁部２９Ａに連結されている。
【００８３】
図１、図５において、モータ３２の後方にはモータコネクタ３２Ｃが設けられており、モータコネクタ３２Ｃにはモータ３２を駆動するための図示しないパワーケーブルが接続されている。
【００８４】
モータ３２の上部には冷却水導入管部３２ａと冷却水排出管部３２ｂが設けられている。冷却水導入管部３２ａは、モータ３２に冷却水を導入し、冷却水排出管部３２ｂは、モータ３２を冷却した冷却水をモータ３２から排出する。
【００８５】
図１、図２に示すように、変速機ケース５にはフロントブラケット４６Ａおよびリヤブラケット４６Ｂが設けられている。フロントブラケット４６Ａは、モータケース３２Ａの右端部とライトケース６とを連結しており、モータケース３２Ａをライトケース６に支持している。
【００８６】
リヤブラケット４６Ｂは、モータコネクタ３２Ｃの後端部とライトケース６とを連結しており、モータコネクタ３２Ｃをライトケース６に支持している。このように、モータ３２は、モータ取付部２９Ｃと反対側がライトケース６に連結されている。
【００８７】
図８において、縦壁部２９Ａには軸受保持部２９ａ、２９ｂが設けられており、軸受保持部２９ａ、２９ｂは、縦壁部２９Ａからカバー部２７側に筒状に延びている。カバー部２７には軸受保持部２７ａ、２７ｂが設けられている。軸受保持部２７ａ、２７ｂは、カバー部２７から縦壁部２９Ａ側に筒状に延びている。
【００８８】
軸受保持部２９ａには軸受５１Ａを介してモータ軸３２Ｂと第１のドライブギヤ３４の右端側が回転自在に支持されており、軸受保持部２７ａには軸受５１Ｂを介して第１のドライブギヤ３４の左端側が回転自在に支持されている。
【００８９】
軸受保持部２９ｂには軸受５１Ｃを介して第１の中間軸３５の右端部が回転自在に支持されており、軸受保持部２７ｂには軸受５１Ｄを介して第１の中間軸３５の左端部が回転自在に支持されている。
【００９０】
図９において、隔壁部２９Ｂには軸受保持部２９ｃが設けられている。軸受保持部２９ｃは、モータ取付部２９Ｃとレフトケース７の上壁７Ｂとを連絡する側壁部２９の部位に設けられている。換言すれば、軸受保持部２９ｃは、隔壁部２９Ｂとレフトケース７の上壁７Ｂとの連絡部に設けられている。
【００９１】
軸受保持部２９ｃは、一端（右端）が閉塞され、他端（左端）が開放された筒状に形成されている。隔壁部２９Ｂと上壁７Ｂとの連絡部には第３のドライブギヤ３６Ｂが収容されるギヤ用凹部２９Ｈが設けられている。
【００９２】
ギヤ用凹部２９Ｈは、軸受保持部２９ｃの開放端側から第２の中間軸３６の半径方向の外方に延びる平面部２９ｆと、平面部２９ｆの半径方向の外周部から第２の中間軸３６の軸方向に延びる筒状部２９ｇとを有する。
【００９３】
カバー部２７には軸受保持部２７ｃが設けられており、軸受保持部２７ｃは、カバー部２７から隔壁部２９Ｂ側に筒状に延びている。軸受保持部２９ｃには軸受５１Ｅを介して第２の中間軸３６の右端部が回転自在に支持されており、軸受保持部２７ｃには軸受５１Ｆを介して第２の中間軸３６の左端部が回転自在に支持されている。
【００９４】
すなわち、本実施例の第３のドライブギヤ３６Ｂは、隔壁部２９Ｂとカバー部２７とによって回転自在に支持される第２の中間軸３６に設置されている。
【００９５】
このようにモータ軸３２Ｂ、第１のドライブギヤ３４、第１の中間軸３５および第２の中間軸３６は、側壁部２９とカバー部２７とに回転自在に支持されている。
【００９６】
第３のドライブギヤ３６Ｂは、モータ軸３２Ｂを隔壁部２９Ｂに支持する軸受５１Ａに対して半径方向の外側に設置されている。換言すれば、第３のドライブギヤ３６Ｂと軸受５１Ａとは、第２の中間軸３６の軸方向において同じ位置に設置されている。
【００９７】
図８において、ライトケース６の左側壁６Ａには筒状の軸受保持部６ａが設けられており、軸受保持部６ａには軸受５１Ｇを介して前進用出力軸１２の右端部が回転自在に支持されている。
【００９８】
カバー部２７には筒状の軸受保持部２７ｄが設けられており、軸受保持部２７ｄには軸受５１Ｈを介して前進用出力軸１２の左端部が回転自在に支持されている。
【００９９】
ライトケース６の左側壁６Ａには図示しない筒状の軸受保持部が設けられており、軸受保持部には軸受５１Ｉ（図４参照）を介して入力軸１１の右端部が回転自在に支持されている。
【０１００】
図４において、カバー部２７には筒状の軸受保持部２７ｅが設けられており、軸受保持部２７ｅには軸受５１Ｊを介して入力軸１１の左端部が回転自在に支持されている。
【０１０１】
このように入力軸１１および前進用出力軸１２は、カバー部２７に回転自在に支持されている。すなわち、カバー部２７は、モータ軸３２Ｂ、第１のドライブギヤ３４、第１の中間軸３５、第２の中間軸３６、入力軸１１および前進用出力軸１２を回転自在に支持している。
【０１０２】
図４、図８において、隔壁部２９Ｂは、レフトケース７の内部を減速機構収容室４５とギヤ収容室４７とに仕切っている。
【０１０３】
図４、図６において、隔壁部２９Ｂには開口部２９ｈが形成されており、入力軸１１および前進用出力軸１２は、開口部２９ｈを通して減速機構収容室４５とギヤ収容室４７とに設置されている。
【０１０４】
入力ギヤ１６Ａ、１６Ｂ、１６Ｃおよび出力ギヤ１７Ａ、１７Ｂ、１７Ｃは、ギヤ収容室４７に設置されており、入力ギヤ１６Ｄ、１６Ｅ、１６Ｆおよび出力ギヤ１７Ｄ、１７Ｅ、１７Ｆは、減速機構収容室４５に設置されている。
【０１０５】
図４、図７において、レフトケース７は、デフ収容壁部７Ｃを有する。デフ収容壁部７Ｃは、レフトケース７の左側壁７Ａおよび隔壁部２９Ｂよりもライトケース６側に位置している。
【０１０６】
図８において、ライトケース６の左側壁６Ａには筒状の支持部６ｂが設けられている。支持部６ｂは、左側壁６Ａからレフトケース７と離れる方向に膨出しており、支持部６ｂは、軸受５１Ｋ（図４参照）を介してデフケース１５Ｂの右端部に設けられた筒状部１５ｂ（図４参照）を回転自在に支持している。
【０１０７】
図７において、デフ収容壁部７Ｃには筒状の支持部７ｃが設けられている。支持部７ｃは、デフ収容壁部７Ｃからライトケース６と離れる方向に膨出しており、支持部７ｃは、軸受５１Ｌを介してデフケース１５Ｂの左端部に設けられた筒状部１５ｃを回転自在に支持している（図５参照）。
【０１０８】
図８において、ディファレンシャル装置１５は、レフトケース７の内部においてライトケース６側、すなわち、エンジン８側の端部に設置されており、左側壁６Ａとデフ収容壁部７Ｃ（図７参照）に収容されている。
【０１０９】
図４に示すように、レフトケース７は、入力軸１１の軸方向において入力軸１１と前進用出力軸１２に対向する左側壁７Ａと、ディファレンシャル装置１５に対向するデフ収容壁部７Ｃとを有し、左側壁７Ａとデフ収容壁部７Ｃは、入力軸１１の軸方向において段違いに形成されている。
【０１１０】
図７、図９において、レフトケース７は、段差壁部７Ｄを有する。段差壁部７Ｄは、左側壁７Ａとデフ収容壁部７Ｃとを連絡しており、支持部７ｃの筒状の形状に沿って湾曲している。
【０１１１】
図９に示すように、段差壁部７Ｄは、周壁部２８に連絡されており、周壁部２８からデフ収容壁部７Ｃに向かって延びている。段差壁部７Ｄにはリブ４８Ａ、４８Ｂが設けられている。
【０１１２】
リブ４８Ａ、４８Ｂは、デフ収容壁部７Ｃから左側壁７Ａまで延びており、周壁部２８と隔壁部２９Ｂとを連結している。
【０１１３】
図１、図２において、モータ３２よりも前側のレフトケース７の上部にはシフトユニット４１が設置されている。車両１の平面視において、モータ３２とシフトユニット４１は、マウント取付部３１に近づくように、マウント取付部３１の前後に設置されている。
【０１１４】
シフトユニット４１は、駆動装置４のシフト操作およびクラッチ操作を行うように駆動される。ここで、シフト操作とは、駆動装置４の変速段を切換える操作をいい、クラッチ操作とは、駆動装置４のクラッチ１０を係合（接続）または開放（切断）する操作をいう。
【０１１５】
図４において、レフトケース７にはシフトアンドセレクト軸４２が収容されている。シフトアンドセレクト軸４２は、レフトケース７に対して軸心方向に移動自在、かつ回転自在となっており、シフトユニット４１によって操作される。
【０１１６】
シフトユニット４１は、運転者によって操作される図示しないシフトレバーがドライブレンジにシフトされた状態あるいはリバースレンジにシフトされた状態において、例えば、予めスロットル開度と車速とがパラメータとして設定された変速マップに基づいて、シフトアンドセレクト軸４２を操作する。
【０１１７】
シフトアンドセレクト軸４２は、いずれも図示しないシフトヨーク、シフタ軸およびシフトフォーク等からなる変速操作機構を介して第１の同期装置１８から第４の同期装置２１を操作して変速段の制御を行う。なお、シフトユニット４１は、油圧機構やモータ機構等によってシフトアンドセレクト軸４２を操作するが、駆動方式は、これら油圧機構やモータ機構等に限定されるものではない。
【０１１８】
次に、作用を説明する。
車両１の前進時におけるエンジン走行時おいては、エンジン８の動力が入力軸１１から所定の変速段を成立する入力ギヤ１６Ａから入力ギヤ１６Ｆのいずれかを介して出力ギヤ１７Ａから出力ギヤ１７Ｆのいずれかに伝達される。
【０１１９】
これにより、前進用出力軸１２のファイナルドライブギヤ１７Ｇからファイナルドリブンギヤ１５Ａに動力が伝達され、エンジン８の動力がディファレンシャル装置１５の差動機構１５Ｃによって左右のドライブシャフト２４Ｌ、２４Ｒに分配されて駆動輪に伝達され、車両１が前進走行する。
【０１２０】
一方、車両１の前進時におけるモータ走行時においては、第１の同期装置１８から第４の同期装置２１が中立位置に位置した状態で、モータ３２の動力がモータ軸３２Ｂから第１のドライブギヤ３４を介して第１のドリブンギヤ３５Ａに伝達される。
【０１２１】
次いで、モータ３２の動力は、第２のドライブギヤ３５Ｂ、第２のドリブンギヤ３６Ａおよび第３のドライブギヤ３６Ｂを介して４速段用の出力ギヤ１７Ｄに伝達される。
【０１２２】
減速機構３３は、ドライブギヤ３４、３５Ｂ、３６Ｂおよびドリブンギヤ３５Ａ、３６Ａの直径が任意の減速比となるように設定されているので、モータ３２の動力が減速されて前進用出力軸１２に伝達される。
【０１２３】
これにより、前進用出力軸１２のファイナルドライブギヤ１７Ｇからファイナルドリブンギヤ１５Ａに動力が伝達され、車両１が前進走行する。
【０１２４】
本実施例の駆動装置４によれば、変速機ケース５は、減速機構３３を収容する減速機ケース２５を有し、減速機ケース２５は、前進用出力軸１２の軸方向においてモータ３２と減速機構３３との間に位置する側壁部２９を有する。
【０１２５】
減速機構３３は、第１の減速ギヤ組３７を介してモータ軸３２Ｂに連絡される第１の中間軸３５と、第２の減速ギヤ組３８を介して第１の中間軸３５に連絡される第２の中間軸３６と、第２の中間軸３６と前進用出力軸１２とを連絡する第３の減速ギヤ組３９とを有する。
【０１２６】
モータ軸３２Ｂ、第１の中間軸３５および第２の中間軸３６は、軸受５１Ａ、５１Ｃ、５１Ｅを介して側壁部２９に回転自在に支持されている。
【０１２７】
第３の減速ギヤ組３９は、第２の中間軸３６に設置される第３のドライブギヤ３６Ｂと、前進用出力軸１２に設置され、第３のドライブギヤ３６Ｂに噛み合う出力ギヤ１７Ｄとから構成されており、第３のドライブギヤ３６Ｂは、モータ軸３２Ｂを側壁部２９に支持する軸受５１Ａに対して半径方向の外側に設置されている。
【０１２８】
これにより、３つの減速ギヤ組３７、３８、３９によってモータ３２の回転を減速して前進用出力軸１２に伝達できるので、減速ギヤ組３７、３８、３９を構成するドライブギヤ３４、３５Ｂ、３６Ｂおよびドリブンギヤ３５Ａ、３６Ａの半径を小さくでき、減速機構３３の小型化を図ることができる。
【０１２９】
また、第３のドライブギヤ３６Ｂが、モータ軸３２Ｂを側壁部２９に支持する軸受５１Ａに対して半径方向の外側に設置されているので、減速機構３３をモータ３２に近づけて設置でき、カバー部２７をモータ３２に近づけて設置できる。
【０１３０】
このため、減速機ケース２５と変速機ケース５の小型化を図ることができ、結果的に駆動装置４の小型化を図ることができる。
【０１３１】
また、本実施例の駆動装置４によれば、入力軸１１から前進用出力軸１２に選択的に動力を伝達する入力ギヤ１６Ａと出力ギヤ１７Ａ、入力ギヤ１６Ｂと出力ギヤ１７Ｂ、入力ギヤ１６Ｃと出力ギヤ１７Ｃ、入力ギヤ１６Ｄと出力ギヤ１７Ｄ、入力ギヤ１６Ｅと出力ギヤ１７Ｅ、および入力ギヤ１６Ｆと出力ギヤ１７Ｆからなる複数の変速ギヤ組を有する。
【０１３２】
これに加えて、第３の減速ギヤ組３９のドリブンギヤは、複数の変速ギヤ組のうちの出力ギヤ１７Ｄから構成される。
【０１３３】
これにより、第３の減速ギヤ組３９の専用のドリブンギヤを前進用出力軸１２に追加することを不要にできる。このため、前進用出力軸１２の軸長を短縮でき、その分だけ、減速機ケース２５と変速機ケース５の車両１の幅方向長さを短縮できる。したがって、減速機ケース２５と変速機ケース５のより一層の小型化を図ることができ、結果的に駆動装置４のより一層の小型化を図ることができる。
【０１３４】
また、本実施例の駆動装置４は、入力軸１１上に設けられた第２の同期装置１９と第３の同期装置２０を有する。
【０１３５】
入力軸１１の軸方向において第２の同期装置１９と第３の同期装置２０の間に入力ギヤ１６Ｄと出力ギヤ１７Ｄからなる変速ギヤ組と入力ギヤ１６Ｅと出力ギヤ１７Ｅからなる変速ギヤ組が隣接して設置されている。
【０１３６】
第３の減速ギヤ組３９のドライブギヤ３６Ｂは、入力ギヤ１６Ｄと出力ギヤ１７Ｄの半径方向の外側に設置されており、第１の減速ギヤ組３７は、入力ギヤ１６Ｅと出力ギヤ１７Ｅの半径方向の外側に設置されている。
【０１３７】
これに加えて、第２の減速ギヤ組３８は、第３の同期装置２０の半径方向の外側に設置されている。
【０１３８】
これにより、減速機構３３を構成する減速ギヤ組３７、３８、３９を、入力軸１１の軸方向において第２の同期装置１９と第３の同期装置２０の設置範囲内に設置できる。このため、入力軸１１の軸長が長くなるのを防止しつつ、減速機構３３を構成する減速ギヤ組３７、３８、３９を小さい空間に設置できる。すなわち、減速機構収容室４５を小さくできる。
【０１３９】
したがって、減速機ケース２５と変速機ケース５のより一層の小型化を図ることができ、結果的に駆動装置４のより一層の小型化を図ることができる。
【０１４０】
本発明の実施例を開示したが、当業者によっては本発明の範囲を逸脱することなく変更が加えられうることは明白である。すべてのこのような修正および等価物が次の請求項に含まれることが意図されている。
【符号の説明】
【０１４１】
１...ハイブリッド車両、４...駆動装置（ハイブリッド車両用駆動装置）、５...変速機ケース、８...エンジン（動力源）、１２...前進用出力軸（出力軸）、１６Ａ，１６Ｂ，１６Ｃ，１６Ｄ，１６Ｅ，１６Ｆ...入力ギヤ（変速機構、変速ギヤ組）、１７Ａ，１７Ｂ，１７Ｃ，１７Ｅ，１７Ｆ...出力ギヤ（変速機構、変速ギヤ組）、１７Ｄ...出力ギヤ（変速機構、ドリブンギヤ、変速ギヤ組）、１９...第２の同期装置（同期装置）、２０...第３の同期装置（同期装置）、２９...側壁部、３２...モータ、３２Ｂ...モータ軸、３３...減速機構、３５...第１の中間軸、３６...第２の中間軸、３６Ｂ...第３のドライブギヤ（ドライブギヤ）、３７...第１の減速ギヤ組（減速ギヤ組）、３８...第２の減速ギヤ組（減速ギヤ組）、３９...第３の減速ギヤ組（減速ギヤ組）、５１Ａ，５１Ｃ，５１Ｅ...軸受
【図１】
2020100270.tif 000003
【図２】
2020100270.tif 000004
【図３】
2020100270.tif 000005
【図４】
2020100270.tif 000006
【図５】
2020100270.tif 000007
【図６】
2020100270.tif 000008
【図７】
2020100270.tif 000009
【図８】
2020100270.tif 000010
【図９】
2020100270.tif 000011